(57)【要約】【課題】プロジェクタが天吊り状態で使用される場合であっても、除塵フィルタが完全に装着されていることを簡単に目視確認できるようにして、除塵フィルタが半挿しとなったまま気づかずに使用してしまう問題を解消する。【解決手段】フィルタフレーム８１は、フィルタ受け部７４に完全装着状態となった場合に、この除塵フィルタ８０の端部８１５が、挿し込み口７４１の周縁部２４Ａ５に対して概ね揃うように、その長さが設定されて構成されている。そうすると、除塵フィルタ８０をフィルタ受け部７４に装着させた際に、挿し込み口７４１の周縁部２４Ａ５の位置に対する除塵フィルタ８０の端部８１５の位置を目視することにより、除塵フィルタ８０が半挿しとなっているか否かを確認することができる。【選択図】図９
2008225346.tif 000002
【特許請求の範囲】
【請求項１】
光源からの光束を画像情報に応じて変調し拡大投射するプロジェクタであって、
前記プロジェクタは、外部の空気を内部に導入するための吸気口を有する外装筐体と、前記外装筐体に着脱自在に設けられ前記吸気口を介して前記外装筐体内部に異物が侵入することを防止する空気濾過フィルタとを備え、
前記吸気口は、前記外装筐体の底面部に設けられ、
前記底面部に交差する側面部には、前記空気濾過フィルタを挿し込むための挿し込み口が設けられ、
前記外装筐体には、前記空気濾過フィルタの挿し込み方向に沿って前記吸気口の周囲に延出し、前記空気濾過フィルタが装着されるフィルタ受け部が設けられ、
前記空気濾過フィルタおよび前記フィルタ受け部は、前記空気濾過フィルタが前記吸気口を閉塞する閉位置に位置付けられている場合に、前記空気濾過フィルタの端部の少なくとも一部と、前記側面部における前記挿し込み口の周縁部の少なくとも一部とが、前記挿し込み方向に沿う同一位置に位置付けられるように構成されていることを特徴とするプロジェクタ。
【請求項２】
光源からの光束を画像情報に応じて変調し拡大投射するプロジェクタであって、
前記プロジェクタは、外部の空気を内部に導入するための吸気口を有する外装筐体と、前記外装筐体に着脱自在に設けられ前記吸気口を介して前記外装筐体内部に異物が侵入することを防止する空気濾過フィルタとを備え、
前記吸気口は、前記外装筐体の底面部に設けられ、
前記底面部に交差する側面部には、前記空気濾過フィルタを挿し込むための挿し込み口が設けられ、
前記外装筐体には、前記空気濾過フィルタの挿し込み方向に沿って前記吸気口の周囲に延出し、前記空気濾過フィルタが装着されるフィルタ受け部が設けられ、
前記空気濾過フィルタおよび前記フィルタ受け部は、前記空気濾過フィルタが前記吸気口を閉塞する閉位置に位置付けられた場合に、前記空気濾過フィルタの端部の少なくとも一部が、前記側面部における前記挿し込み口の周縁部の少なくとも一部に対して、前記外装筐体の外側に突出するように構成されていることを特徴とするプロジェクタ。
【請求項３】
請求項１または請求項２に記載のプロジェクタにおいて、
前記空気濾過フィルタには、該空気濾過フィルタが半挿し位置に位置付けられている場合には、前記挿し込み口の前記周縁部の少なくとも一部に対して前記外装筐体の外側に突出する位置となり、かつ、前記閉位置に位置付けられている場合には、前記挿し込み口の前記周縁部の少なくとも一部に対して前記側面部の内側に入り込む位置となる、視認可能形状を有する半挿し確認部が設けられていることを特徴とするプロジェクタ。
【請求項４】
請求項１から請求項３のうち何れか一項に記載のプロジェクタにおいて、
前記挿し込み口は、画像を投射する投射方向側の側面部に設けられていることを特徴とするプロジェクタ。
【発明の詳細な説明】
【技術分野】
【０００１】
本発明は、スクリーンに画像を投射するプロジェクタに関する。
【背景技術】
【０００２】
従来、光束を射出する光源装置と、この光源装置から射出された光束を光学的に処理して画像情報に対応したカラー画像を形成する光学ユニットと、この光学ユニットからの画像光をスクリーンに投射する投射レンズとを備えたプロジェクタが知られている。この種のプロジェクタは、例えば、光源装置や光学ユニットを構成する光変調装置等の、発熱する装置を備える。そのため、この種のプロジェクタにおいては、このような発熱する装置を冷却することを目的とした冷却装置を備えて構成される。
【０００３】
一方、冷却装置は、外気を吸気するための吸気ファンと、吸気された外気の導風路となる吸気ダクトとを備えて構成される。外装筐体には、外気を取り込むための吸気口が設けられる。吸気口には、外気に混入している塵埃を除去することを目的として、この吸気口を覆うようにされた塵埃除去用の空気濾過フィルタ（以下、単に除塵フィルタと称する。）が設けられる。プロジェクタ内部に綺麗な濾過された空気を送り込むためである。
【０００４】
除塵フィルタは、プロジェクタの使用時間に依存して塵埃が付着していく。そのため、除塵フィルタは、付着した塵埃を清掃できるように外装筐体から取り外し可能に構成されている（例えば、特許文献１参照）。具体的には、開示されている除塵フィルタは、外装筐体に挿し抜きして、この外装筐体に取り付け若しくは取り外しできるように構成されている。
【０００５】
【特許文献１】特開２００２−３４１４４５号公報
【発明の開示】
【発明が解決しようとする課題】
【０００６】
ところで、除塵フィルタは、外装筐体から取り外して清掃した後に、再度、外装筐体に挿し込んで取り付ける。この際に、除塵フィルタが外装筐体に対して完全に挿し込まれて装着されていない、いわゆる半挿し状態となってしまっている場合がある。ユーザーは、これに気づかずにプロジェクタを使用してしまうと、除塵フィルタに覆われていない吸気口の隙間から塵埃の混じった外気を吸気してしまって、内蔵される各種の光学装置に不具合を発生させてしまう。
【０００７】
ここで、除塵フィルタが半挿し状態となっているか否かを、適宜に設けたセンサによって判別する手法も提案されているが、センサを新たに設置しようとすると、プロジェクタの製造コストが嵩む問題も指摘されている。
【０００８】
本発明は、このような事情に鑑みなされたものであって、その目的は、除塵フィルタが完全に装着されているか否かを簡単に目視確認できるようにして、除塵フィルタが半挿しとなったまま気づかずに使用してしまう問題を解消することができるプロジェクタを提供することにある。
【課題を解決するための手段】
【０００９】
上述した課題を解決するために、本発明に係るプロジェクタは、光源からの光束を画像情報に応じて変調し拡大投射するプロジェクタであって、前記プロジェクタは、外部の空気を内部に導入するための吸気口を有する外装筐体と、前記外装筐体に着脱自在に設けられ前記吸気口を介して前記外装筐体内部に異物が侵入することを防止する空気濾過フィルタとを備え、前記吸気口は、前記外装筐体の底面部に設けられ、前記底面部に交差する側面部には、前記空気濾過フィルタを挿し込むための挿し込み口が設けられ、前記外装筐体には、前記空気濾過フィルタの挿し込み方向に沿って前記吸気口の周囲に延出し、前記空気濾過フィルタが装着されるフィルタ受け部が設けられ、前記空気濾過フィルタおよび前記フィルタ受け部は、前記空気濾過フィルタが前記吸気口を閉塞する閉位置に位置付けられている場合に、前記空気濾過フィルタの端部の少なくとも一部と、前記側面部における前記挿し込み口の周縁部の少なくとも一部とが、前記挿し込み方向に沿う同一位置に位置付けられるように構成されていることを特徴とする。
【００１０】
なお、底面部は、投射する画像の中心が投射レンズの光軸に対して上側になるようにプロジェクタを載置した場合の下側面部である。また、底面部は、投射する画像の中心が投射レンズの光軸に対して下側になるようにプロジェクタを載置した場合の上側面部である。また、プロジェクタを天吊り状態で使用する場合には、底面部は室内天井の天井面と対向するように配置される。すなわち、底面部は、外装筐体のうち、投射レンズの光軸に対して投射する画像の中心が存する側とは反対側に存する面部となっている。
【００１１】
このプロジェクタによれば、空気濾過フィルタが吸気口を閉塞する閉位置に位置付けられている場合に、端部の少なくとも一部と、側面部における挿し込み口の周縁部の少なくとも一部とが、挿し込み方向に沿う同一位置に位置付けられるように構成されているので、ユーザーは、空気濾過フィルタの端部の少なくとも一部の位置と、側面部における挿し込み口の周縁部の少なくとも一部の位置とが、挿し込み方向に沿う同一位置となっているか否かを目視することにより、吸気口を閉塞する閉位置となるように空気濾過フィルタがフィルタ受け部に挿し込まれているかを確認することができる。
【００１２】
また、ユーザーの目視することにより確認する個所は、側面部における挿し込み口の周縁部となるので、ユーザーは、プロジェクタの設置状態を問わず、簡単に目視することができて、空気濾過フィルタを完全に装着しているか否かを確認することができる。特に昨今においては、プロジェクタを天井から吊り下げるように設置して使用する、いわゆる天吊り状態での使用場面が増えてきているが、このように天吊り状態でプロジェクタを使用する場合であっても、ユーザーは簡単に目視することができて、空気濾過フィルタが完全に装着されているか否かを確認することができる。
【００１３】
したがって、ユーザーは、空気濾過フィルタがフィルタ受け部に挿し込まれているか否かを目視することにより簡単に確認することができ、空気濾過フィルタを半挿し状態としたままで気づかずにプロジェクタを使用してしまう問題を解消することができる。また、空気濾過フィルタが半挿し状態となっているか否かを判別するためのセンサも、別途設ける必要も無いので、プロジェクタの製造コストの削減にも繋がる。
【００１４】
また、本発明に係るプロジェクタは、次のように構成されるものであってもよい。
すなわち、本発明に係るプロジェクタは、光源からの光束を画像情報に応じて変調し拡大投射するプロジェクタであって、前記プロジェクタは、外部の空気を内部に導入するための吸気口を有する外装筐体と、前記外装筐体に着脱自在に設けられ前記吸気口を介して前記外装筐体内部に異物が侵入することを防止する空気濾過フィルタとを備え、前記吸気口は、前記外装筐体の底面部に設けられ、前記底面部に交差する側面部には、前記空気濾過フィルタを挿し込むための挿し込み口が設けられ、前記外装筐体には、前記空気濾過フィルタの挿し込み方向に沿って前記吸気口の周囲に延出し、前記空気濾過フィルタが装着されるフィルタ受け部が設けられ、前記空気濾過フィルタおよび前記フィルタ受け部は、前記空気濾過フィルタが前記吸気口を閉塞する閉位置に位置付けられた場合に、前記空気濾過フィルタの端部の少なくとも一部が、前記側面部における前記挿し込み口の周縁部の少なくとも一部に対して、前記外装筐体の外側に突出するように構成されていることを特徴とする。
【００１５】
このプロジェクタによれば、空気濾過フィルタが吸気口を閉塞する閉位置に位置付けられた場合に、空気濾過フィルタの端部の少なくとも一部が、側面部における挿し込み口の周縁部の少なくとも一部に対して、外装筐体の外側に突出するように構成されているので、ユーザーは、空気濾過フィルタの端部の少なくとも一部が、側面部における挿し込み口の周縁部の少なくとも一部に対して外方に突出しているか否かを目視することにより、吸気口を閉塞する閉位置に空気濾過フィルタがフィルタ受け部に挿し込まれているかを確認することができる。
【００１６】
加えて、このプロジェクタによれば、空気濾過フィルタが吸気口を閉塞する閉位置に位置付けられた場合に、空気濾過フィルタの端部の少なくとも一部が、側面部における挿し込み口の周縁部の少なくとも一部に対して外装筐体の外側に突出するので、ユーザーの確認視点角度の範囲を拡げることができる。したがって、たとえ、プロジェクタを天吊り状態で使用する場合であっても、ユーザーは、簡単に目視することができて、空気濾過フィルタを完全に装着しているか否かを確認することができ、ユーザーが空気濾過フィルタを半挿し状態としたまま、気づかずにプロジェクタを使用してしまう問題を解消することができる。
【００１７】
本発明に係るプロジェクタは、上述のプロジェクタにおいて、前記空気濾過フィルタには、該空気濾過フィルタが半挿し位置に位置付けられている場合には、前記挿し込み口の前記周縁部の少なくとも一部に対して前記外装筐体の外側に突出する位置となり、かつ、前記閉位置に位置付けられている場合には、前記挿し込み口の前記周縁部の少なくとも一部に対して前記側面部の内側に入り込む位置となる、視認可能形状を有する半挿し確認部が設けられていることが好ましい。特に、前記半挿し確認部は、少なくとも、前記挿し込み口の前記周縁部と対向する側の面において設けられていることが望ましい。
【００１８】
このプロジェクタによれば、視認可能形状を有する半挿し確認部が、空気濾過フィルタが半挿し位置に位置付けられている場合には挿し込み口の周縁部の少なくとも一部に対して外装筐体の外側に突出する位置となり、空気濾過フィルタが閉位置に位置付けられている場合には挿し込み口の周縁部の少なくとも一部に対して側面部の内側に入り込む位置となるので、ユーザーは、この半挿し確認部を目視することにより、吸気口を閉塞する閉位置で、空気濾過フィルタがフィルタ受け部に挿し込まれているか否かを確認することができる。
【００１９】
本発明に係るプロジェクタは、上述のプロジェクタにおいて、前記挿し込み口は、画像を投射する投射方向側の側面部に設けられていることが好ましい。
このプロジェクタによれば、挿し込み口は、画像を投射する投射方向側の側面部に設けられていることとなる。ここで、プロジェクタの前面においては、スクリーンに画像を投射するので、その接近位置に壁等の障害物が存在し無いものとなっている。
【００２０】
これによって、ユーザーが上述したような目視による確認を行いたい場合には、目視を邪魔するような障害物も存在しないので、好適に目視による確認を行うことができる。加えて、フィルタ受け部に空気濾過フィルタを挿し込むような場合であっても、挿し込む邪魔をするような障害物も無いので、好ましく挿し込むことができる。
【発明を実施するための最良の形態】
【００２１】
〔第１実施形態〕
以下、本発明に係るプロジェクタの実施の形態について、図面を参照しながら説明する。図１は、本発明に係るプロジェクタの外観を示す外観斜視図である。なお、以下においては、説明の便宜上、プロジェクタ１からの画像光の投射方向をＺ軸とし、該Ｚ軸に直交する２つの軸をそれぞれＸ軸（水平軸）およびＹ軸（鉛直軸）とする。以下の図も同様である。
【００２２】
プロジェクタ１は、光源から射出された光束を画像情報に応じて変調して画像光を形成し、形成した画像光をスクリーン（図示略）上に拡大投射するものであって、適宜の載置台に載置して使用したり、天井から吊り下げるようにして（天吊り状態）、使用したりする。この際、投射する画像の中心が投射レンズの光軸に対して上側（＋Ｙ軸方向側）になるようにプロジェクタを載置した場合を据置状態の配置とし、天吊り状態で使用する場合にはプロジェクタを上下反転させて使用する。
【００２３】
図１はプロジェクタを据置状態で配置した時の外観を示す外観斜視図である。図２は、プロジェクタの内部を示す内部斜視図である。プロジェクタ１は、図１および図２に示すように、外装筐体２、投射レンズ３、光学ユニット４、電源ユニット５、冷却装置６、および図示しない制御基板等で大略構成される。外装筐体２は、図１および図２に示すように、略直方体形状を有する箱状の筐体であり、内部に投射レンズ３、光学ユニット４、電源ユニット５、冷却装置６、および前記制御基板等を収納配置する。
【００２４】
この外装筐体２は、図１に示すように、プロジェクタ１における天面（＋Ｙ軸方向側の面）部分、前面（＋Ｚ軸方向側の面）部分の一部、側面（Ｘ軸方向に交差する各面）部分の一部、および背面（−Ｚ軸方向側の面）部分の一部を形成するアッパーケース２１と、プロジェクタ１における底面（−Ｙ軸方向側の面）部分、前面部分の一部、側面部分の一部、および背面部分の一部を形成するロアーケース２２とを備える。そして、アッパーケース２１およびロアーケース２２がねじ等により接続することで、略直方体形状を有する箱状の外装筐体２が構成される。
【００２５】
ここで、外装筐体２の天面部分に関しては、天面部２３により構成される。また、底面部分に関しては、底面部７０により構成される。また、天面部２３および底面部７０と交差する前面部分、背面部分および側面部分に関しては、前面側面部２４Ａ、背面部２４Ｂ、側面部２４Ｃにより構成される。
天面部２３においては、複数の操作スイッチ２６を備える。この操作スイッチ２６は、適宜押下することにより、内部に配置される図示しない回路基板に実装されたタクトスイッチと接触し、ユーザーは所望の操作を行える。
【００２６】
前面側面部２４Ａにおいては、開口部２７が設けられている。この開口部２７には、Ｘ軸方向にスライドさせて開口部２７を開け閉めする開閉扉２８が設けられている。開閉扉２８には、当該開閉扉２８をスライドさせるためのツマミ部２９が設けられている。ユーザーがツマミ部２９を摘まんで開閉扉２８を−Ｘ軸方向にスライドさせ、開口部２７を開けて投射レンズ３を露出させた状態とすると、この露出した投射レンズ３からスクリーンに画像を投射させることができる。
【００２７】
投射レンズ３は、具体的な図示を省略するが、複数のレンズと、この複数のレンズを収納する筒状の鏡筒とで構成され、光学ユニット４により形成されたカラー画像を拡大投射する。鏡筒は、筒状軸を中心として回転することで前記複数のレンズの相対位置を変更可能としスクリーン上の投影画像のフォーカス調整やズーム調整を実施するためのリング状の位置変更部３１を備えて構成される。また、位置変更部３１には、図１に示すように、回転を操作するための操作レバー３１Ａが設けられている。なお、この投射レンズ３は、拡大投射する画像の中心が投射レンズ３の光軸に対して上側（＋Ｙ軸方向側）となるように設定されている。
【００２８】
光学ユニット４について説明する。図３は、光学ユニットの光学系を模式的に示す模式図である。光学ユニット４は、図３に示すように、外装筐体２の背面に沿って延出するとともに、外装筐体２の側面に沿って延出する平面視略Ｌ字形状を有し、前記制御装置による制御の下、光源から射出された光束を光学的に処理して画像情報に対応したカラー画像を形成するユニットである。この光学ユニット４は、図３に示すように、光源装置４１と、均一照明光学装置４２と、色分離光学装置４３と、リレー光学装置４４と、光学装置４５と、光学部品用筐体４６とを備える。
【００２９】
光源装置４１は、前記制御装置による制御の下、点灯し、均一照明光学装置４２に向けて光束を射出する。この光源装置４１は、図３に示すように、光源ランプ４１１およびリフレクタ４１２を有する光源装置本体４１Ａと、平行化レンズ４１３と、これら各部材４１１〜４１３を内部に収納して一体化するハウジング部材４１４とを備えて構成される。
なお、この光源装置４１は、光学部品用筐体４６に接続され、光源ランプ４１１から射出された放射状の光束は、リフレクタ４１２にて反射され、平行化レンズ４１３を介して平行光とされる。また、図３では、リフレクタ４１２を楕円面リフレクタとして構成していたが、これに限らず、光源ランプ４１１から射出された光束を略平行光として反射するパラボラリフレクタとして構成しても構わない。この場合には、平行化レンズ４１３を省略する。
【００３０】
均一照明光学装置４２は、光源装置４１から射出された光束を、光学装置４５を構成する後述する液晶パネルの画像形成領域に略均一に照明するための光学系である。この均一照明光学装置４２は、図３に示すように、第１レンズアレイ４２１と、第２レンズアレイ４２２と、偏光変換素子４２３と、重畳レンズ４２４とを備える。
第１レンズアレイ４２１は、入射光軸方向から見て略矩形状の輪郭を有する第１小レンズが、入射光軸に対し略直交する面内においてマトリクス状に配列された構成を有している。各第１小レンズは、光源装置４１から射出される光束を複数の部分光束に分割している。
第２レンズアレイ４２２は、第１レンズアレイ４２１と略同様な構成を有しており、第２小レンズがマトリクス状に配列された構成を有している。この第２レンズアレイ４２２は、重畳レンズ４２４とともに、第１レンズアレイ４２１の各第１小レンズの像を光学装置４５の後述する液晶パネル上に結像させる機能を有している。
【００３１】
偏光変換素子４２３は、第２レンズアレイ４２２と重畳レンズ４２４との間に配置され、第２レンズアレイ４２２からの光を略１種類の偏光光に変換するものである。
具体的には、偏光変換素子４２３によって略１種類の偏光光に変換された各部分光は、重畳レンズ４２４によって最終的に光学装置４５の後述する液晶パネル上にほぼ重畳される。偏光光を変調するタイプの液晶パネルを用いたプロジェクタでは、１種類の偏光光しか利用できないため、ランダムな偏光光を発する光源装置４１からの光の略半分を利用できない。このため、偏光変換素子４２３を用いることで、光源装置４１からの射出光を略１種類の偏光光に変換し、光学装置４５での光の利用効率を高めている。
【００３２】
色分離光学装置４３は、図３に示すように、２枚のダイクロイックミラー４３１，４３２と、反射ミラー４３３とを備え、ダイクロイックミラー４３１，４３２により均一照明光学装置４２から射出された複数の部分光束を、赤、緑、青の３色の色光に分離する機能を有している。
リレー光学装置４４は、図３に示すように、入射側レンズ４４１、リレーレンズ４４３、および反射ミラー４４２，４４４を備え、色分離光学装置４３で分離された赤色光を光学装置４５の後述する赤色光用の液晶パネルまで導く機能を有している。
この際、色分離光学装置４３のダイクロイックミラー４３１では、均一照明光学装置４２から射出された光束の青色光成分が反射するとともに、赤色光成分と緑色光成分とが透過する。ダイクロイックミラー４３１によって反射した青色光は、反射ミラー４３３で反射し、フィールドレンズ４２５を通って光学装置４５の後述する青色光用の液晶パネルに達する。
このフィールドレンズ４２５は、第２レンズアレイ４２２から射出された各部分光束をその中心軸（主光線）に対して平行な光束に変換する。他の緑色光用、赤色光用の液晶パネルの光束入射側に設けられたフィールドレンズ４２５も同様である。
【００３３】
ダイクロイックミラー４３１を透過した赤色光と緑色光のうちで、緑色光はダイクロイックミラー４３２によって反射し、フィールドレンズ４２５を通って光学装置４５の後述する緑色光用の液晶パネルに達する。一方、赤色光はダイクロイックミラー４３２を透過してリレー光学装置４４を通り、さらにフィールドレンズ４２５を通って光学装置４５の後述する赤色光用の液晶パネルに達する。
なお、赤色光にリレー光学装置４４が用いられているのは、赤色光の光路の長さが他の色光の光路の長さよりも長いため、光の発散等による光の利用効率の低下を防止するためである。すなわち、入射側レンズ４４１に入射した部分光束をそのまま、フィールドレンズ４２５に伝えるためである。
【００３４】
光学装置４５は、入射した光束を画像情報に応じて変調して画像光（カラー画像）を形成するものである。この光学装置４５は、図３に示すように、光変調装置としての３枚の液晶パネル４５１（赤色光用の液晶パネルを４５１Ｒ、緑色光用の液晶パネルを４５１Ｇ、青色光用の液晶パネルを４５１Ｂとする）と、各液晶パネル４５１の光束入射側および光束射出側にそれぞれ配置される入射側偏光板４５２および射出側偏光板４５３と、色合成光学装置としてのクロスダイクロイックプリズム４５４とを備える。
【００３５】
入射側偏光板４５２は、色分離光学装置４３で分離された各色光のうち、偏光変換素子４２３で揃えられた偏光方向と略同一方向の偏光方向を有する偏光光のみ透過させ、その他の光束を吸収するものであり、具体的な図示は省略するが、透光性基板上に偏光膜が貼付されて構成されている。
液晶パネル４５１は、具体的な図示は省略するが、一対の透明なガラス基板に電気工学物質である液晶が密閉封入された構成を有し、前記制御装置からの駆動信号に応じて、前記液晶の配向状態が制御され、入射側偏光板４５２から射出された偏光光束の偏光方向を変調する。
【００３６】
射出側偏光板４５３は、入射側偏光板４５２と同様の構成を有し、液晶パネル４５１から射出された光束のうち、入射側偏光板４５２における光束の透過軸と直交する偏光方向を有する光束のみ透過させ、その他の光束を吸収するものである。
クロスダイクロイックプリズム４５４は、射出側偏光板４５３から射出された色光毎に変調された変調光を合成して画像光（カラー画像）を形成する光学素子である。このクロスダイクロイックプリズム４５４は、４つの直角プリズムを貼り合わせた平面視正方形状をなし、直角プリズム同士を貼り合わせた界面には、２つの誘電体多層膜が形成されている。これら誘電体多層膜は、液晶パネル４５１Ｇから射出され射出側偏光板４５３を介した色光を透過し、各液晶パネル４５１Ｒ，４５１Ｂから射出され各射出側偏光板４５３を介した各色光を反射する。このようにして、各色光が合成されてカラー画像が形成される。そして、クロスダイクロイックプリズム４５４で形成されたカラー画像は、上述した投射レンズ３によりスクリーン等へ拡大投射される。
【００３７】
以上説明した光学装置４５において、図３に示すように、３枚の液晶パネル４５１および３枚の射出側偏光板４５３は、クロスダイクロイックプリズム４５４における各光束入射側端面４５４１にそれぞれ取り付けられている。すなわち、各液晶パネル４５１、各射出側偏光板４５３、およびクロスダイクロイックプリズム４５４は、一体化し、光学装置本体４５を構成する。
【００３８】
光学部品用筐体４６は、内部に所定の照明光軸Ａ（図３参照）が設定された筐体であり、上述した各光学部品４２〜４５を照明光軸Ａに対する所定位置に収納配置する。
なお、具体的な図示は省略するが、光学部品用筐体４６において、＋Ｙ軸方向側端面の光学装置４５に対応する位置には、開口部が形成されている。
【００３９】
電源ユニット５は、プロジェクタ１を構成する各構成部材（例えば、光源ランプ４１１、前記制御基板等）に電力を供給するものであり、光学ユニット４のＬ字内側部分に配設される。この電源ユニット５は、図２に示すように、電源ケーブルを介して外部から供給された電力を前記各構成部材に供給する電源ブロック５１と、電源ブロック５１から供給された電力に基づいて光源ランプ４１１を点灯させるランプ駆動ブロック５２とを備える。
【００４０】
冷却装置６は、プロジェクタ１内部を冷却する装置である。この冷却装置６は、図２に示すように、吸気装置６１と、排気装置６２とを備える。
吸気装置６１は、ロアーケース２２により構成される底面部７０に形成された吸気口７１（図４参照）を介してプロジェクタ１外部から冷却空気を吸入し、プロジェクタ１内部の発熱部材（例えば、液晶パネル４５１等）に冷却空気を送風して冷却する。この吸気装置６１は、図２に示すように、一対のシロッコファン６１１Ａ，６１１Ｂと、一対のシロッコファン６１１Ａ，６１１Ｂの吸入口６１１１に接続される吸入側ダクト６１２と、一対のシロッコファン６１１Ａ，６１１Ｂの吐出口６１１２に接続される吐出側ダクト６１３とを備える。
【００４１】
吸入側ダクト６１２は、ロアーケース２２により構成される底面部７０に形成された吸気口７１に対応してロアーケース２２の内側に設置され、吸気口７１を介してプロジェクタ１外部からプロジェクタ１内部に導入された冷却空気を一対のシロッコファン６１１Ａ，６１１Ｂに導く。
排気装置６２は、プロジェクタ１内部に滞留する温められた空気を吸入し、ロアーケース２２に形成された排気口２２４（図４参照）を介してプロジェクタ１外部に排出する。この排気装置６２は、図２に示すように、軸流ファン６２１と、排気ダクト６２２とを備える。
【００４２】
ロアーケース２２により構成される底面部７０について、ロアーケース２２に設けられる吸気口７１とともに説明する。図４は、ロアーケースの内部を示す斜視図である。図５は、ロアーケースの外面図である。図６は、フィルタ受け部の拡大平面図である。
【００４３】
図４および図５に示すように、ロアーケース２２は、底面部７０を備える。底面部７０は、図５に示すように、その外面側において、外部の支持面に接地する脚部７３を備える。脚部７３は、背面側に設けられ底面部７０に固定される固定脚部７３Ａと、前面側に設けられ上下移動調整可能な可動脚部７３Ｂとを含む。
【００４４】
この底面部７０には、図４に示すように、プロジェクタ１の内部、すなわち外装筐体２の内部と連通する吸気口７１が設けられている。なお、図５における吸気口７１は、設置された除塵フィルタ８０によって隠れている。
【００４５】
底面部７０には、前面側面部２４Ａ（図５においては右側に位置する）から、吸気口７１の周囲に延びるようにフィルタ受け部７４が設けられている。図５および図６に示すように、フィルタ受け部７４は、画像投射する投射方向（＋Ｚ方向）側の側面部となる前面側板部２４Ａに、除塵フィルタ８０を挿し込む開口形状の挿し込み口７４１を備えている。また、符号２４Ａ５は、フィルタ受け部７４の挿し込み口７４１の周縁部であり、前面側面部２４Ａによって構成されている。
【００４６】
また、フィルタ受け部７４は、吸気口７１と対向する部分に、内部に吸気可能にされた格子形状の格子部７４２を備えている。加えて、フィルタ受け部７４は、挿し込み口７４１近くの片側（図６中の左方）に、後述する除塵フィルタ８０のフィルタ側係合部８３と係合する受け部側係合部７４３が設けられている。受け部側係合部７４３は、具体的には、適宜の凹部を設けることにより形成されている。
【００４７】
次に、フィルタ受け部７４に挿し込む、空気濾過フィルタとしての除塵フィルタ８０について説明する。図７は除塵フィルタの外部側の拡大平面図である。図８は除塵フィルタの外装筐体側（＋Ｙ軸方向側）の拡大平面図である。また、図９は、除塵フィルタがフィルタ受け部に完全装着状態となっている例を示す拡大平面図である。
【００４８】
除塵フィルタ８０は、吸気口７１を介して外装筐体２（プロジェクタ１）内部に異物が侵入することを防止するために設けられるものであって、具体的には、吸気される外気に混入した塵埃が侵入することを防止するために設けられるものである。
除塵フィルタ８０は、図８および図９に示すように、フィルタフレーム８１と、空気を濾過するフィルタ部８２とを備えて構成される。フィルタフレーム８１は、連通口８１１を形成するように田字状に形成されている。連通口８１１には、フィルタ部８２が取り付けられる。外部に露出するフレーム８１の外面側には、図７に示すように、挿抜する際にユーザーが手で掴む取手部８１２が設けられ、取手部８１２の周囲には突出した形状の凸部８１３が設けられている。
【００４９】
また、フィルタフレーム８１には、図８および図９に示すように、フレームの側面から、外方に突出する略半円形状のフィルタ側係合部８３が設けられている。このフィルタ側係合部８３は、フィルタ受け部７４の受け部側係合部７４３と係合する部分となっている。このフィルタ側係合部８３が受け部側係合部７４３と係合した場合には、除塵フィルタ８０がフィルタ受け部７４に完全に装着された完全装着状態となり、除塵フィルタ８０により吸気口７１を閉塞状態とする。なお、吸気口７１の閉塞状態とは、吸気口７１から吸気される外気の全てを、除塵フィルタ８０のフィルタ部８２を通過させて、プロジェクタ１（外装筐体２）内部に入るようになっている状態を意味する。完全装着状態となる除塵フィルタ８０の位置を、吸気口７１を閉塞する閉位置とする。
【００５０】
ここで、フィルタフレーム８１とフィルタ受け部７４とは、次のように設定されて構成されている。
すなわち、フィルタフレーム８１とフィルタ受け部７４とは、図９に示すように、除塵フィルタ８０をフィルタ受け部７４に挿し込んで、フィルタ側係合部８３は、受け部側係合部７４３と係合し、除塵フィルタ８０をフィルタ受け部７４に完全装着状態（吸気口７１を閉塞する閉位置）とした場合に、この除塵フィルタ８０の挿し込み方向（−Ｚ方向）とは逆方向（＋Ｚ方向）の端部８１５が、フィルタ受け部７４の挿し込み口７４１の周縁部２４Ａ５と、除塵フィルタ８０の挿し込み方向（−Ｚ方向）に沿って概ね揃うように、フィルタ受け部７４に対するフィルタフレーム８１の長さが設定されて構成されている。
【００５１】
より詳しくは、フィルタフレーム８１とフィルタ受け部７４とは、除塵フィルタ８０がフィルタ受け部７４に完全装着状態となった場合に、端部８１５の一部８１６が、フィルタ受け部７４の挿し込み口７４１の周縁部２４Ａ５の一部２４Ａ６と、除塵フィルタ８０の挿し込み方向（−Ｚ方向）に沿って同一位置に位置付けられる（互いが面一となる）ように構成されている。
【００５２】
また、フレーム８１の外面側とは反対側となる外装筐体側（＋Ｙ軸方向側）、言い換えれば挿し込み口７４１の周縁部２４Ａ５と対向する側の面側には、図８に示すように、視認可能形状を有する半挿し確認部としての、凸状部８１７が設けられている。この凸状部８１７は、ユーザーが視認可能な程度の段差を形成している。
【００５３】
この凸状部８１７は、後に図１１および図１２とともに説明するが、挿し込み口７４１を介して除塵フィルタ８０が挿し込まれ、完全装着状態（閉位置）とならない半挿し状態となっている場合には、挿し込み口７４１の周縁部２４Ａ５に対して外側（＋Z方向）に突出する位置となるように設定されて設けられている。加えて、この凸状部８１７は、挿し込み口７４１を介して除塵フィルタ８０が挿し込まれ、完全装着状態（閉位置）となっている場合には、挿し込み口７４１の周縁部２４Ａ５に対して内側（−Z方向）に入り込む位置となるように設定されて設けられている。
【００５４】
以上のように構成されたプロジェクタ１は、次のような作用効果を奏する。図１０は、除塵フィルタがフィルタ受け部に半挿し状態となっている例を示す拡大平面図である。図１１は、除塵フィルタが完全装着状態となっている例を示す拡大斜視図である。図１２は、除塵フィルタが半挿し状態となっている例を示す拡大斜視図である。ここで、図１１および図１２は、天吊り状態で使用されているプロジェクタ１の防塵フィルタ８０を下方からみた斜視図である。なお、半挿し状態とは、除塵フィルタ８０がフィルタ受け部７４に対して完全に挿し込まれて装着されていない（完全装着状態となっていない）状態であることを意味し、吸気口７１には除塵フィルタ８０によって閉じられていない隙間が生じている。
【００５５】
すなわち、このプロジェクタ１によれば、図９および図１１に示すように、除塵フィルタ８０をフィルタ受け部７４に挿し込んで完全装着状態となって吸気口７１を閉塞状態にした場合に、除塵フィルタ８０の挿し込み方向（−Ｚ方向）とは逆方向（＋Ｚ方向）の端部８１５が、挿し込み口７４１の周縁部２４Ａ５に対して概ね揃うようになる。これによって、ユーザーは、除塵フィルタ８０の端部８１５と、挿し込み口７４１の周縁部２４Ａ５とを目視することにより互いを対比して、吸気口７１が閉塞状態となったか否か、つまり、除塵フィルタ８０がフィルタ受け部７４に完全装着状態となったか否かを確認することができる。
【００５６】
具体的には、図１０および図１２に示すように、除塵フィルタ８０がフィルタ受け部７４に対して完全装着状態となっていない、半挿し状態の場合には、除塵フィルタ８０の挿し込み方向（−Ｚ方向）とは逆方向（＋Ｚ方向）の端部８１５は、挿し込み口７４１の周縁部２４Ａ５に対して揃っていない状態となる。図示においては、除塵フィルタ８０の端部８１５は、挿し込み口７４１の周縁部２４Ａ５に対して突き出した状態となっており、ユーザーは、この揃っていない突き出し状態を目視することにより、除塵フィルタ８０がフィルタ受け部７４に完全装着状態となっていない半挿し状態となっていることを確認することができる。なお、除塵フィルタ８０がフィルタ受け部７４に半挿し状態となっている場合には、除塵フィルタ８０のフィルタ側係合部８３は、フィルタ受け部７４の受け部側係合部７４３と係合していない。
【００５７】
より詳しくは、フィルタフレーム８１は、除塵フィルタ８０がフィルタ受け部７４に完全装着状態となった場合に、端部８１５の一部８１６が、フィルタ受け部７４の挿し込み口７４１の周縁部２４Ａ５の一部２４Ａ６と面一となるように構成されているので、ユーザーは、この面一となる個所を目視することにより、除塵フィルタ８０がフィルタ受け部７４に半挿し状態となっているか否かを確認することができる。
【００５８】
さらに、このプロジェクタ１によれば、図１０および図１２に示すように、除塵フィルタ８０がフィルタ受け部７４に半挿し状態となっている場合には、視認可能形状を有する凸状部８１７は、挿し込み口７４１の周縁部２４Ａ５に対して外側に突出する位置となる。なお、ここでいう『外側に突出する位置』とは、図示のように、凸状部８１７が周縁部２４Ａ５と揃っている面一となることを含んでいる。これに比して、図９および図１１に示すように、除塵フィルタ８０がフィルタ受け部７４に完全装着状態（閉位置）となっている場合には、視認可能形状を有する凸状部８１７は、挿し込み口７４１の周縁部２４Ａ５に対して内側に入り込む位置となる。
これによって、ユーザーは、図１１および図１２に示すように、除塵フィルタ８０に設けられた凸状部８１７を目視することにより、吸気口７１を閉塞する閉位置で、除塵フィルタ８０がフィルタ受け部７４に挿し込まれているか否かを確認することができる。
【００５９】
また、ユーザーの目視する個所は、外装筐体２のうち、挿し込み口７４１の周縁部２４Ａ５となっている。ここで、挿し込み口４１は、画像を投射する投射方向の側面部となる前面側板部２４Ａに設けられている。また、プロジェクタ１の前面においては、スクリーンに画像を投射するので、その接近位置に壁等の障害物が存在しない。
これによって、ユーザーが上述したような目視による確認を行いたい場合には、目視を邪魔するような障害物も存在しないので、好適に目視による確認作業を行うことができる。加えて、フィルタ受け部７４に除塵フィルタ８０を挿し込むような場合であっても、挿し込む邪魔をするような障害物も無いので、好ましく挿し込むことができる。
【００６０】
特に昨今においては、プロジェクタ１を天井から吊り下げるように設置して使用する、いわゆる天吊り状態での使用場面が増えてきているが、このように天吊り状態でプロジェクタを使用する場合であっても、ユーザーは簡単に目視することができて、空気濾過フィルタが完全に装着されているか否かを確認することができる。
【００６１】
したがって、ユーザーは、除塵フィルタ８０がフィルタ受け部７４に挿し込まれているか否かを目視することにより簡単に確認することができ、空気濾過フィルタを半挿し状態としたままで気づかずにプロジェクタを使用してしまう問題を解消することができる。また、除塵フィルタ８０が半挿し状態となっているか否かを判別するためのセンサも、別途設ける必要も無いので、プロジェクタの製造コストの削減にも繋がる。
【００６２】
〔第２実施形態〕
次に、上述した第１実施形態とは異なる、本発明に係るプロジェクタの実施の形態について、図面を参照しながら説明する。
第２実施形態のプロジェクタは、第１実施形態のプロジェクタの除塵フィルタ（特に取手部のみ）においてのみ異なる構成を採用するものであって、そのほかにおいては、第１実施形態のプロジェクタと同一の構成を採用している。したがって、以下においては、除塵フィルタおよびフィルタ受け部のみを図示して説明する。なお、上述の第１実施形態と同様に構成される個所については、同一の符号を付して、その説明を省略する。
【００６３】
図１３は、第１実施形態とは異なる除塵フィルタ８０Ａが、完全装着状態となっているのを示す拡大平面図である。すなわち、除塵フィルタ８０Ａは、そのフィルタフレーム８１Ａの取手部８１２Ａが、第１実施形態の取手部８１２に比して、挿し込み方向とは逆方向（＋Ｚ方向）の長さを長く設定されている点について異なる。
【００６４】
具体的には、フィルタフレーム８１Ａは、図１３に示すように、除塵フィルタ８０Ａがフィルタ受け部７４に完全装着状態となった場合に、この除塵フィルタ８０Ａの挿し込み方向（−Ｚ方向）とは逆方向（＋Ｚ方向）の端部８１５Ａが、挿し込み口７４１の周縁部２４Ａ５に対して僅かに外側に突出するように、取手部８１２Ａの挿し込み方向の長さが設定されて構成されている。
【００６５】
以上のように構成されたプロジェクタは、次のような作用効果を奏する。すなわち、この第２実施形態のプロジェクタによれば、除塵フィルタ８０Ａをフィルタ受け部７４に挿し込んで完全装着状態となって吸気口７１を閉塞状態にした場合に、除塵フィルタ８０Ａの挿し込み方向（−Ｚ方向）とは逆方向（＋Ｚ方向）の端部８１５Ａが、挿し込み口７４１の周縁部２４Ａ５に対して、僅かに外側に突出する。
【００６６】
これによって、ユーザーは、除塵フィルタ８０Ａの端部８１５Ａが挿し込み口７４１の周縁部２４Ａ５に対して外側に突出しているか否かを目視することにより、吸気口７１を閉塞する閉位置となるように、除塵フィルタ８０がフィルタ受け部７４に挿し込まれているか否かを確認することができる。
【００６７】
加えて、このプロジェクタによれば、除塵フィルタ８０の端部８１５Ａが、前面側板部２４Ａにおける挿し込み口７４１の周縁部２４Ａ５に対して外側に突出するので、第１実施形態のプロジェクタ１に比して、ユーザーの確認視点角度の範囲を拡げることができる。したがって、たとえ、プロジェクタを天吊り状態で使用する場合であっても、ユーザーは、簡単に目視することができて、除塵フィルタ８０を完全に装着しているか否かを確認することができ、ユーザーが除塵フィルタ８０を半挿し状態としたまま、気づかずにプロジェクタを使用してしまう問題を解消することができる。
【００６８】
なお、本発明に係るプロジェクタは、上述の実施の形態に限定されるものではなく、本発明の趣旨を逸脱しない範囲において、適宜に選択変更して構成されるものであってもよい。
例えば、上述の実施形態においては、液晶パネル４５１を３つ備えた、いわゆる三板式のプロジェクタを例に挙げて説明するものであった。しかしながら、本発明に係るプロジェクタは、これに限定されるものではなく、液晶パネルを１つ備える単板式のプロジェクタや、液晶パネルを２つ備えるプロジェクタや、液晶パネルを４つ以上備えるプロジェクタとして構成されるものであっても、何ら問題の無いものとされる。
【００６９】
また、上述の実施形態においては、光入射面と光射出面とが異なる透過型の液晶パネルを用いて構成されるものであったが、光入射面と光射出面とが同一となる反射型の液晶パネルを用いて構成してもよい。また、上述の実施形態では、光変調装置として液晶パネルを用いていたが、マイクロミラーを用いたデバイスなど、液晶以外の光変調装置を用いてもよい。この場合は、光束入射側および光束射出側の偏光板４５２，４５３を省略することができる。
【００７０】
また、第２実施形態のプロジェクタにあっても、第１実施形態のプロジェクタ１と同様に、除塵フィルタ８０Ａに、半挿し確認部としての凸状部８１７が設けられるものであってもよい。このように第２実施形態のプロジェクタに、半挿し確認部としての凸状部８１７が設けられた場合には、上述の第１実施形態と同様の作用効果を奏する。
【産業上の利用可能性】
【００７１】
本発明に係るプロジェクタは、除塵フィルタが完全に装着されていることを簡単に目視確認できるようにしているので、塵埃が内部に入ってしまうことによる不具合を生じ難くして、長期間に亘って良好に使用することができる、プレゼンテーションやホームシアタに用いられるプロジェクタとして利用することができる。
【図面の簡単な説明】
【００７２】
【図１】本発明に係るプロジェクタの外観を示す外観斜視図。
【図２】図１のプロジェクタの内部を示す内部斜視図。
【図３】光学ユニットの光学系を模式的に示す模式図。
【図４】ロアーケースの斜視図。
【図５】ロアーケースの外面図。
【図６】フィルタ受け部の拡大平面図。
【図７】除塵フィルタの外部側拡大平面図。
【図８】除塵フィルタの外装筐体（＋Ｙ軸方向側）側拡大平面図。
【図９】除塵フィルタが完全装着状態となっている例を示す拡大平面図。
【図１０】除塵フィルタが半挿し状態となっている例を示す拡大平面図。
【図１１】天吊り状態で使用した場合における、除塵フィルタが完全装着状態となっている例を示す拡大斜視図。
【図１２】天吊り状態で使用した場合における、除塵フィルタが半挿し状態となっている例を示す拡大斜視図。
【図１３】他の例の除塵フィルタが完全装着状態となっているのを示す拡大平面図。
【符号の説明】
【００７３】
１…プロジェクタ、２…外装筐体、２１…アッパーケース、２２…ロアーケース、３…投射レンズ、４…光学ユニット、５…電源ユニット、６…冷却装置、２４Ａ…前面側板部、２４Ａ５…（挿し込み口の）周縁部、７０…底面部、７１…吸気口、７４…フィルタ受け部、７４１…挿し込み口、８０，８０Ａ…除塵フィルタ、８１…フィルタフレーム、８１５，８１５Ａ…（挿し込み方向とは逆方向の）端部、８１７…凸状部
【図１】
2008225346.tif 000003
【図２】
2008225346.tif 000004
【図３】
2008225346.tif 000005
【図４】
2008225346.tif 000006
【図５】
2008225346.tif 000007
【図６】
2008225346.tif 000008
【図７】
2008225346.tif 000009
【図８】
2008225346.tif 000010
【図９】
2008225346.tif 000011
【図１０】
2008225346.tif 000012
【図１１】
2008225346.tif 000013
【図１２】
2008225346.tif 000014
【図１３】
2008225346.tif 000015